(57)【特許請求の範囲】
【請求項１】
平面矩形のコンクリート板上面の角部のエリア、短辺側部のエリア、長辺側部のエリア、中央部のエリアのいずれかに背の低いトラス筋が上部を突出させて適宜間隔ごとに配筋され、これらのエリア以外の他のエリアには背の高いトラス筋が上部を突出させて適宜間隔ごとに配筋され、これら背の高いトラス筋間には軽量型枠が配設され、この背の高いトラス筋と背の低いトラス筋との端部が上下に重ね合わせ配筋された薄肉プレキャストコンクリート板が形成され、これら薄肉プレキャストコンクリート板が少なくとも２枚以上任意に組み合わされたものと、コンクリート板の上面に背の高いトラス筋のみが上部を突設させて適宜間隔ごとに配筋された中空薄肉プレキャストコンクリート板とが梁間に設置され、これらの薄肉プレキャストコンクリート板と中空薄肉プレキャストコンクリート板との上面にトップコンクリートが打設されて背の高いトラス筋と背の低いトラス筋との高低差により床の角部、長辺側部、短辺側部、中央部のいずれかに凹部が形成されたことを特徴とするコンクリートスラブ。
【請求項２】
薄肉プレキャストコンクリート板と中空薄肉プレキャストコンクリート板とには予めトップコンクリートが打設され、薄肉プレキャストコンクリート板には段差部が形成されていることを特徴とする請求項１に記載のコンクリートスラブ。
【請求項３】
請求項１または２に記載のコンクリートスラブを備えたことを特徴とする構築物。
【発明の詳細な説明】
【０００１】
【発明の属する技術分野】
本発明はコンクリートスラブおよび構築物に関するものである。
【０００２】
【従来の技術】
鉄筋コンクリート造の建物のスラブは、ほとんどがプレキャストコンクリート板で構築されている。このコンクリートスラブに各種配管のための凹部を構築するには、図１７の（１）〜（３）に示すように、一方のプレキャストコンクリート板２０を下側にずらして段差部２１を形成し、ここを補強するためにあばら筋２２を配筋したり、あるいはコンクリートスラブのスラブ筋２３をベンド筋にしたりしていた。
【０００３】
【発明が解決しようとする課題】
しかし、上記のような段差部における配筋は複雑であるため、現場における鉄筋加工や施工に大変な手間がかかって作業効率が悪かった。また、このような煩雑な配筋作業を必要とするため凹部の形成箇所が制約されて任意の箇所に形成することが困難であった。
【０００４】
本発明はこれらの問題に鑑みてなされたものであり、その目的は、コンクリートスラブに凹部を形成する際に、現場における鉄筋加工をなくして作業効率の向上を図るとともに、任意の箇所に凹部が簡単に形成できるコンクリートスラブおよび構築物を提供することである。
【０００５】
【課題を解決するための手段】
以上の課題を解決するための手段は、コンクリートスラブが、平面矩形のコンクリート板上面の角部のエリア、短辺側部のエリア、長辺側部のエリア、中央部のエリアのいずれかに背の低いトラス筋が上部を突出させて適宜間隔ごとに配筋され、これらのエリア以外の他のエリアには背の高いトラス筋が上部を突出させて適宜間隔ごとに配筋され、これら背の高いトラス筋間には軽量型枠が配設され、この背の高いトラス筋と背の低いトラス筋との端部が上下に重ね合わせ配筋された薄肉プレキャストコンクリート板が形成され、これら薄肉プレキャストコンクリート板が少なくとも２枚以上任意に組み合わされたものと、コンクリート板の上面に背の高いトラス筋のみが上部を突設させて適宜間隔ごとに配筋された中空薄肉プレキャストコンクリート板とが梁間に設置され、これらの薄肉プレキャストコンクリート板と中空薄肉プレキャストコンクリート板との上面にトップコンクリートが打設されて背の高いトラス筋と背の低いトラス筋との高低差により床の角部、長辺側部、短辺側部、中央部のいずれかに凹部が形成されたことを特徴とする。また薄肉プレキャストコンクリート板と中空薄肉プレキャストコンクリート板とには予めトップコンクリートが打設され、薄肉プレキャストコンクリート板には段差部が形成されていることを含むものである。
また構築物は、上記のコンクリートスラブを備えたことを特徴とする。
【０００６】
コンクリート板の角部、または短辺側部、または長辺側部、または中央部に段差部を形成せしめるプレキャストコンクリート板を任意に組み合わせることにより、コンクリートの所定箇所、すなわち角部、または短辺側部、または長辺側部、または中央部に任意の大きさの凹部が形成される。
【０００７】
また、任意の箇所に凹部が形成されたコンクリートスラブを備えた構築物となる。
【０００８】
【発明の実施の形態】
以下、本発明のコンクリートスラブおよび構築物の実施の形態を図面に基づいて説明する。図１はプレキャストコンクリート板の平面図、図２の（１）は図１の（２）のＡ−Ａ線断面図、同図の（２）は同Ｂ−Ｂ線断面図、図３はコンクリートスラブの平面図である。
【０００９】
図１の（１）および（２）は角部に平面長方形の段差部が形成されるプレキャストコンクリート板（以下、薄肉ＰＣ板という）１を示し、平面矩形のコンクリート板２と、トラス筋３、４とから構成されている。
【００１０】
薄肉ＰＣ板１は所定の大きさおよび所定の厚さを備えたものであり、これを二つのエリア５、６、すなわち二つの領域に分割し、そのうちの一方のエリア５には背の高いトラス筋３がコンクリート板２の長辺方向に沿って適宜間隔ごとに配筋されている。
【００１１】
このトラス筋３は、三角形状に配置された一本の上弦筋（トップ筋）７と二本の下弦筋（下端筋）８とが波形のラチス筋９で接合された三角トラスであり、前記下弦筋８がコンクリート板２内の曲げ補強筋１０に接合されているとともに、上弦筋７側がコンクリート板２の一面から突出している。
【００１２】
これら背の高いトラス筋３間には、軽量型枠１１が適宜間隔ごとに配設され、この軽量型枠１１は背の高いトラス筋３よりもやや低く形成されている。軽量型枠１１としては打設されるコンクリートによって圧壊しないものが用いられ、例えば、発泡ポリスチレンのようなビーズ型内発泡成形による合成樹脂発泡成形品が使用される。しかし、この他にもエチレン系樹脂、プロピレン系樹脂等からなる発泡成形品を使用することも可能である。なお、軽量型枠１１の材質としては、コンクリートに対する軽量部材であれば特に限定するものではなく、中空鋼管にすることもできる。
【００１３】
一方、他方のエリア６には、背の低いトラス筋４がコンクリート板２の長辺方向に沿って適宜間隔ごとに配筋され、その先端部が背の高いトラス筋３に重ね配筋されている。この重ね配筋は少なくともラチス筋９の２山以上を重ね合わせている。この重ね合わせはトラス筋３、４同士を横に添わせる以外に、図２の（３）に示すように、上下に重ね合わせることもできる。このことにより重ね合わせ部における強度をさらに強めることができるとともに、トラス筋３、４同士を互いにずらして配筋する手間も省ける。
【００１４】
また背の低いトラス筋４は、背の高いトラス筋３と同一の構成であるが、高さが背の高いトラス筋３の半分程度であり、その下端筋８がコンクリート板２内の曲げ補強筋１０に接合されているとともに、上端筋７側がコンクリート板２の一面から突出している。このように背の高いトラス筋３が配筋されたエリア５と、背の低いトラス筋４が配筋されたエリア６との間には高低差があり、これをもってトップコンクリート１２が打設されて段差部１３を形成せしめている。
【００１５】
これら背の高いトラス筋３と背の低いトラス筋４の高さは、段差の大きさに応じて決定され、例えば、段差が大きい場合には、背の高いトラス筋３がさらに高くなる一方、背の低いトラス筋４がさらに低くなる。
【００１６】
また、背の高いトラス筋３と背の低いトラス筋４の長さも、段差部１３の大きさに応じて決定され、例えば、面積の大きな段差部１３を構築する場合は背の低いトラス筋４の長さがさらに長くなる一方、背の高いトラス筋３の長さがさらに短くなる。したがって、これらのトラス筋３、４の重ね配筋の長さにより段差部１３における強度が自在に調節される。
【００１７】
次に、図１の薄肉ＰＣ板によって形成された凹部を備えたコンクリートスラブを図３〜図５に基づいて説明する。
【００１８】
図３は共同住宅における中間における一住戸のコンクリートスラブ１４を示したものであり、長尺梁１５と短尺梁１６の間に配設された２枚の薄肉ＰＣ板１と、これらの両側に配設された中空薄肉ＰＣ板１７とから構成されている。
【００１９】
前記薄肉ＰＣ板１とは、背の高いトラス筋３と背の低いトラス筋４が配筋された図１のものをいい、中空薄肉ＰＣ板１７とは、背の高いトラス筋３のみが配筋された図４のものをいう。
【００２０】
前記コンクリートスラブ１４の長尺梁１５側に、洗面設備などの水回り設備が設置される凹部１８が形成されている。この凹部１８は、背の高いトラス筋３と背の低いトラス筋４との高低差をもってトップコンクリート１２が打設されて形成され、薄肉ＰＣ板１を、背の低いトラス筋４が配筋された箇所を向かい合わせるように組み合わせている。また薄肉ＰＣ板１と中空薄肉ＰＣ板１７とにわたって連結筋１９が配筋され、これによって薄肉ＰＣ板１と中空薄肉ＰＣ板１７とがそれぞれ接続されている。このように段差部１３を形成せしめる薄肉ＰＣ板１を組み合わせて配設することにより、コンクリートスラブ１４の任意の箇所に凹部１８が簡単に形成できる。
【００２１】
図６は角部に凹部１８が形成されたコンクリートスラブ１４であり、図７の（１）および（２）の薄肉ＰＣ板１を組み合わせて形成したものである。前記（１）の薄肉ＰＣ板１は短辺側部に背の低いトラス筋４が配筋された段差部１３が形成されるものであり、同図の（２）は角部に背の低いトラス筋４が配筋された段差部１３が形成されるものである。
【００２２】
また図８は中央部に凹部１８が形成されたコンクリートスラブ１４であり、図９およびの図１０の薄肉ＰＣ板１を組み合わせて形成したものである。図９の薄肉ＰＣ板１は略中央部に背の低いトラス筋３が配筋された段差部１３が形成されるものであり、図１０の（１）および（２）は長辺側部に背の低いトラス筋４が配筋された段差部１３が形成されるものである。
【００２３】
また図１１〜図１３は、共同住宅の妻側における一住戸のコンクリートスラブ１４を示したものであり、図１１は図３と同じように長尺梁１５側に凹部１８が形成されたものであり、図１２は中間の住戸と隣接する角部に凹部１８が形成されたものであり、図１３は図１２と反対側の角部に凹部１８が形成されたものであり、これらも前記と同様の薄肉ＰＣ板１と中空薄肉ＰＣ板１７を組み合わせて形成したものである。
【００２４】
また図１４および図１５は、共同住宅の中間における二住戸のコンクリートスラブ１４を示したものであり、図１４は長尺梁１５側に凹部１８を備えた住戸と、角部に凹部１８を備えた住戸の組み合わせである。また図１５は反対側の角部に凹部１８を形成した住戸同士の組み合わせである。これも前記と同様の薄肉ＰＣ板１を使用して形成したものである。
【００２５】
さらに、図１６は図１４と図１５とは異なる位置に凹部１８を形成した二住戸のコンクリートスラブ１４を示したものであり、（１）〜（５）は中間部における二住戸のコンクリートスラブ１４であり、（６）および（７）は妻側における二住戸のコンクリートスラブ１４を示したものであり、これらのいずれも前記と同様の薄肉ＰＣ板１を使用して構築したものである。
【００２６】
なお、本発明は上記のような組み合わせに限らず、任意の箇所に段差部を形成した薄肉ＰＣ板を任意に組み合わせることにより、コンクリートスラブの任意の箇所、すなわち長尺梁側、または短尺梁側方向、または角部、または中央部に凹部を形成することができる。
【００２７】
さらに、上記の実施の形態は薄肉ＰＣ板、すなわちトップコンクリートを打設することによりコンクリートスラブを構築する、いわゆるハーフＰＣ板を使用したコンクリートスラブについて説明したが、この他に予めトップコンクリートが打設された、いわゆるフルＰＣ板を使用したコンクリートスラブにも適用できるものである。この場合は前記薄肉ＰＣ板と同じ箇所に予め段差部が形成されたフルＰＣ板を、長尺梁と短尺梁の間に連続的に配設して、これらをそれぞれ接合することにより形成するものである（図示せず）。
【００２８】
また図３、図６、図８、図１１〜図１６のコンクリートスラブ１４を使用して鉄骨造、鉄筋コンクリート造および鉄骨鉄筋コンクリート造の構築物を構築すると、任意の箇所に凹部が形成されたコンクリートスラブを有した構築物となる。
【００２９】
【発明の効果】
コンクリート板の任意の箇所に段差部を備えたプレキャストコンクリート板を組み合わせることによりコンクリートスラブの任意の箇所、すなわち角部、長尺梁側、または短尺梁側、または中央部に凹部を形成できる。
【００３０】
背の高いトラス筋と、背の低いトラス筋を長さ方向に重ね配筋したプレキャストコンクリート板を使用することにより、トップコンクリートを打設するだけで凹部のあるコンクリートスラブが簡単に形成できる。
【００３１】
予めトップコンクリートが打設された、いわゆるフルＰＣ板を使用すると、これを長尺梁と短尺梁との間に連続的に配設して、これらを接合することにより凹部のあるコンクリートスラブが簡単に形成できる。
【００３２】
薄肉ＰＣ板において、背の高いトラス筋と背の低いトラス筋の重ね配筋した箇所の強度を大きくできる。
【００３３】
背の高いトラス筋と、背の低いトラス筋を長さ方向に重ね配筋したことによりプレキャストコンクリート板に段差部が容易に形成できる。
【００３４】
任意の箇所に凹部が形成されたコンクリートスラブ１２を備えた構築物が簡単に構築できる。
【図面の簡単な説明】
【図１】（１）および（２）は薄肉ＰＣ板の平面図である。
【図２】（１）は図１の（２）のＡ−Ａ線断面図、（２）は同Ｂ−Ｂ線断面図、図３はトラス筋の重ね配筋の断面図である。
【図３】コンクリートスラブの平面図である。
【図４】中空薄肉ＰＣ板の平面図である。
【図５】（１）は図３のＣ−Ｃ線断面図、（２）は同Ｄ−Ｄ線断面図である。
【図６】コンクリートスラブの平面図である。
【図７】（１）および（２）は薄肉ＰＣ板の平面図である。
【図８】コンクリートスラブの平面図である。
【図９】薄肉ＰＣ板の平面図である。
【図１０】（１）および（２）は薄肉ＰＣ板の平面図である。
【図１１】コンクリートスラブの平面図である。
【図１２】コンクリートスラブの平面図である。
【図１３】コンクリートスラブの平面図である。
【図１４】コンクリートスラブの平面図である。
【図１５】コンクリートスラブの平面図である。
【図１６】（１）〜（７）はコンクリートスラブを示す概略図である。
【図１７】（１）〜（３）は従来のコンクリートスラブの段差部の断面図である。
【符号の説明】
１  薄肉ＰＣ板
２  コンクリート板
３  背の高いトラス筋
４  背の低いトラス筋
５  一方のエリア
６  他方のエリア
１１  軽量型枠
１２  トップコンクリート
１３  段差部
１４  コンクリートスラブ
【図１】
0003751735.tif 000002
【図２】
0003751735.tif 000003
【図３】
0003751735.tif 000004
【図４】
0003751735.tif 000005
【図５】
0003751735.tif 000006
【図６】
0003751735.tif 000007
【図７】
0003751735.tif 000008
【図８】
0003751735.tif 000009
【図９】
0003751735.tif 000010
【図１０】
0003751735.tif 000011
【図１１】
0003751735.tif 000012
【図１２】
0003751735.tif 000013
【図１３】
0003751735.tif 000014
【図１４】
0003751735.tif 000015
【図１５】
0003751735.tif 000016
【図１６】
0003751735.tif 000017
【図１７】
0003751735.tif 000018